(57)【要約】【課題】光ディスクがセットされていなくても、不揮発性メモリの保存データを用いて他のプレーヤでコンテンツを再生できるか否かを判定できるようにしてユーザの利便性を高める。【解決手段】ディスク再生装置は、光ディスクに記録されている記録データを読み出す読出手段と、読出手段に光ディスクがセットされているときに、光ディスクに関連する関連コンテンツを別の場所にあるストレージから取得するデータ取得手段と、データ取得手段により取得した関連コンテンツを記憶する不揮発性メモリと、不揮発性メモリに記憶されている関連コンテンツまたは記録データに基づき作成されるデータを含む保存データの複製可否を示す複製制御情報を作成する複製制御情報作成手段と、作成された複製制御情報を記憶する複製制御情報記憶手段とを有している。【選択図】図１
2009158003.tif 000002
【特許請求の範囲】
【請求項１】
光ディスクに記録されている記録データを読み出す読出手段を備えたディスク再生装置であって、
前記読出手段に前記光ディスクがセットされているときに、該光ディスクに関連する関連コンテンツを別の場所にあるストレージから取得するデータ取得手段と、
前記データ取得手段により取得した前記関連コンテンツを記憶する不揮発性メモリと、
前記不揮発性メモリに記憶されている前記関連コンテンツまたは前記記録データに基づき作成されるデータを含む保存データの複製可否を示す複製制御情報を作成する複製制御情報作成手段と、
該複製制御情報作成手段により作成された前記複製制御情報を記憶する複製制御情報記憶手段とを有することを特徴とするディスク再生装置。
【請求項２】
前記不揮発性メモリに記憶されている前記保存データを他の装置に複製しようとするときに、前記複製制御情報を参照して前記保存データの前記他の装置への複製可否を判定する判定手段を更に有することを特徴とする請求項１記載のディスク再生装置。
【請求項３】
前記判定手段が前記他の装置への複製不可と判定したときに、前記保存データの複製を実行しないようにする複製禁止手段を更に有することを特徴とする請求項２記載のディスク再生装置。
【請求項４】
前記判定手段が前記他の装置への複製不可と判定したときに、前記保存データの複製が禁止されていることを示す禁止通知を行う禁止通知手段を更に有することを特徴とする請求項２記載のディスク再生装置。
【請求項５】
前記複製制御情報作成手段は、前記関連コンテンツを前記不揮発性メモリに複数記憶させるときは、前記複製制御情報を前記関連コンテンツごとに作成し、
前記判定手段は、前記関連コンテンツごとに作成された前記複製制御情報に基づいて、前記複製可否を判定することを特徴とする請求項２〜４のいずれか一項記載のディスク再生装置。
【請求項６】
前記判定手段は、前記不揮発性メモリに格納されているコンテンツに対応した各ファイルの複製可否を示すバインドファイルに複製の禁止されるファイルが少なくとも１つ含まれるときは、前記保存データの複製不可と判定することを特徴とする請求項２〜５のいずれか一項記載のディスク再生装置。
【請求項７】
前記保存データを他の装置に複製する複製手段と、
前記判定手段が前記保存データについて複製可能と判定したときにだけ、前記複製手段が前記保存データを他の装置に複製するように制御する複製制御手段とを更に有することを特徴とする請求項２〜６のいずれか一項記載のディスク再生装置。
【発明の詳細な説明】
【技術分野】
【０００１】
本発明は、光ディスクに記録されているデータを読み取って映像信号や音声信号を再生するディスク再生装置に関する。
【背景技術】
【０００２】
光ディスクは、テープ状の記録媒体と比べて任意の再生位置からデータを読み取って映像信号や音声信号を再生でき、物理的な大きさに対する記録容量が大きいことから、急速に普及している。この種の再生装置について、例えば特許文献１には、ＤＶＤ−Ｖｉｄｅｏ規格のコンテンツを記録媒体に記録した後でも、記録されたコンテンツの再生順序を編集できるようにしたコンテンツ再生装置が開示されている。
【０００３】
近年、記録されているデジタルデータの読み取りに、青色または青紫色の、波長の短いレーザ光を用いることにより、ＨＤ規格の映像データと高品質のサラウンド音声データとを一枚の光ディスクに保存できる超高密度光ディスクの規格（High  Definition  Digital  Versatile  Disc、以下「ＨＤ  ＤＶＤ」という）によるディスク再生装置も既に実用化されている。
【０００４】
このＨＤ  ＤＶＤによる光ディスクの場合、光ディスクに収録されているコンテンツ（以下「収録コンテンツ」という）にネットワークを介して供給元へのアクセスを推奨するアドレスまたはリンク先情報が含まれていることがある。
【０００５】
また、ＨＤ  ＤＶＤによるディスク再生装置（ＨＤ  ＤＶＤプレーヤともいう）では、関連コンテンツをアドレスまたはリンク先情報を用いてサーバ等からダウンロードすることで、その関連コンテンツを収録コンテンツとともに（同時または並行して）再生することが可能である。
【特許文献１】特開２００５−１２４００８号公報
【発明の開示】
【発明が解決しようとする課題】
【０００６】
ところで、ＨＤ  ＤＶＤプレーヤは、収録コンテンツを関連コンテンツとともに再生するため、装置内部に不揮発性メモリを有している。不揮発性メモリには、サーバ等からネットワーク経由でダウンロードした映像データや、ユーザの操作にしたがい収録コンテンツに基づき作成されたブックマークデータなどをＡＡＣＳ（Advanced  Access  Content  System）に準拠した設定を施し、再生できる装置を限定してファイルとして保存することができる。
【０００７】
一方、不揮発性メモリに保存されているデータ（保存データともいう）は、プレーヤに設けられている管理手段を用いて他のプレーヤに複製したり、削除することができる。
【０００８】
しかしながら、再生可能な装置に制約がある関係で、他のプレーヤの不揮発性メモリに保存データを複製し、もとのプレーヤで用いたのと同じ光ディスクを用いても、収録コンテンツや関連コンテンツを再生できないことがある。
【０００９】
また、プレーヤ内の管理手段はファイル毎には処理を実行できないとする制約があるため、自装置でしか再生できないファイルを他のプレーヤの不揮発性メモリに複製してしまうと、複製したファイルは、最早それのみを削除することはできなくなってしまう。
【００１０】
一方、再生できるコンテンツの判定には、光ディスクに記録されているデータが必要な場合もあるが、複製しようとするファイルに対応するコンテンツを収録した光ディスクがセットされていないと管理手段を作動させることができず、これでは、保存データの複製を簡便に行うことはできない。
【００１１】
そこで、本発明は上記課題を解決するためになされたもので、光ディスクがセットされていなくても、不揮発性メモリの保存データを用いて他のプレーヤでコンテンツを再生できるか否かを判定できるようにしてユーザの利便性を高めたディスク再生装置を提供することを目的とする。
【課題を解決するための手段】
【００１２】
上記課題を解決するため、本発明は、光ディスクに記録されている記録データを読み出す読出手段を備えたディスク再生装置であって、読出手段に光ディスクがセットされているときに、その光ディスクに関連する関連コンテンツを別の場所にあるストレージから取得するデータ取得手段と、データ取得手段により取得した関連コンテンツを記憶する不揮発性メモリと、不揮発性メモリに記憶されている関連コンテンツまたは記録データに基づき作成されるデータを含む保存データの複製可否を示す複製制御情報を作成する複製制御情報作成手段と、その複製制御情報作成手段により作成された複製制御情報を記憶する複製制御情報記憶手段とを有するディスク再生装置を特徴とする。
【発明の効果】
【００１３】
以上詳述したように、本発明によれば、光ディスクがセットされていなくても、不揮発性メモリの保存データを用いて他のプレーヤでコンテンツを再生できるか否かを判定できるようにしてユーザの利便性を高めたディスク再生装置が得られる。
【発明を実施するための最良の形態】
【００１４】
以下、本発明の実施の形態について説明する。なお、同一要素には同一符号を用い、重複する説明は省略する。
【００１５】
図１は、本発明の実施の形態に係るディスク再生装置としてのＨＤ  ＤＶＤプレーヤ１と、他のＨＤ  ＤＶＤプレーヤ１００および携帯型不揮発性メモリ１１０とを示すブロック図である。ＨＤ  ＤＶＤプレーヤ１とＨＤ  ＤＶＤプレーヤ１００とは同じ構成を有するので、図１では、ＨＤ  ＤＶＤプレーヤ１００の詳細な構成は省略している。
【００１６】
図１に示すとおり、ＨＤ  ＤＶＤプレーヤ１はデータアクセス部２と、映像音声解析部３と、映像音声混合部４と、データキャッシュ５と、アプリケーション解析部６と、ネットワークＩ／Ｆ７と、不揮発性メモリ８と、コピー制御部９とを有している。
【００１７】
ＨＤ  ＤＶＤプレーヤ１では、データアクセス部２がセットされている光ディスクＤから、ＨＤ  ＤＶＤ規格で記録された収録コンテンツを読み出す読出手段としての動作を行い再生データを出力する。また、映像音声解析部３が再生データを映像データと音声データとに分離した上でそれぞれを復号し、映像信号と音声信号とを出力する。その際、映像音声解析部３は、データキャッシュ５から関連コンテンツを読み出して映像信号と音声信号とを出力する。さらに、映像音声合成部４が映像信号と音声信号の合成処理を行い、映像音声再生信号ＶＳＧをＴＶ装置等の表示装置２１０に出力する。
【００１８】
データアクセス部２は再生データをデータキャッシュ５とアプリケーション制御部６とに出力する。データキャッシュ５は再生データを記憶し、アプリケーション制御部６は、ユーザの操作入力ｕを解析するとともに、再生データを解析し、収録コンテンツにアドレスまたはリンク先情報が含まれていたときは、そのアドレスまたはリンク先情報をデータアクセス部２に出力する。アプリケーション制御部６は、再生データを解析する際、コピー制御部９から後述する複製判定結果を取得する。コピー制御部９はＭＰＵ（Micro  Processing  Unit）、ＲＯＭ（Read  Only  Memory）、ＲＡＭ（Random  Access  Memory）を有し、保存データの複製、削除などを管理している。
【００１９】
さらに、データアクセス部２はネットワークＩ／Ｆ７に指示して、アドレスまたはリンク先情報を用いて、収録コンテンツに関連し、収録コンテンツに付加的に再生されるコンテンツ（関連コンテンツ）をネットワーク２００を介してサーバ２０１から取得させ、その関連コンテンツをデータキャッシュ５に保存させつつ不揮発性メモリ８に記憶させる。ネットワークＩ／Ｆ７が取得手段として機能している。
【００２０】
ここで、不揮発性メモリ８はパーシステントストレージ（Persistent  Storage,本実施の形態では、Ｐストレージともいう）として用いられ、関連コンテンツや、収録コンテンツの再生中に現われたお気に入りの場面をユーザが記録しておこうとして操作を行ったときに、その操作にしたがい収録コンテンツに基づき作成されるブックマークデータ、サーバ２０１から取得した画像ファイルなどが記憶される。
【００２１】
不揮発性メモリ８は詳しくは図５に示すように、収録コンテンツの提供元（例えば、ビデオソフトの作成会社）としてのプロバイダごとに確保されるプロバイダディレィトリ８１と、各プロバイダ共通に使用できるコモン領域８２とを有している。プロバイダディレィトリ８１は、コンテンツごと、そのコンテンツに関するファイルが格納される領域（Content Directory）８１ａが設けられている。また、プロバイダディレィトリ８１は、収録コンテンツのプロバイダに対応している部分の参照が許され、そうでない部分の参照は許されないようになっている。
【００２２】
なお、図５にはアディショナルエリア（Additional  Area）８３が示されている。これは、携帯型不揮発性メモリ１１０に割り当てられた領域である。不揮発性メモリ８としては、フラッシュメモリなどの半導体メモリを用いることができる。なお、Ｐストレージとしては、１２８メガバイト以上の容量があればよく、フラッシュメモリのほか、ＨＤＤ（Hard  Disk  Drive）を用いることもできる。
【００２３】
携帯型不揮発性メモリ１１０は例えばＵＳＢメモリのようなＨＤ  ＤＶＤプレーヤ１からの取り外しおよびＨＤ  ＤＶＤプレーヤ１００への装着が可能な不揮発性メモリを用いることもできる。
【００２４】
以上の構成を備えたＨＤ  ＤＶＤプレーヤ１では、光ディスクＤの収録コンテンツのみならず、サーバ２０１からネットワーク２００を介して関連コンテンツを取得し、その関連コンテンツを収録コンテンツとともに再生する機能を有している。このような再生に関する規格がＨＤ  ＤＶＤ−Ｖｉｄｅｏで規定されている。
【００２５】
また、ＨＤ  ＤＶＤ−Ｖｉｄｅｏでは、コンテンツ保護方式としてＡＡＣＳが採用されている。
【００２６】
ここで、図２は、ＨＤ  ＤＶＤプレーヤ１がネットワーク２００を介してサーバ２０１から関連コンテンツを取得して、収録コンテンツおよび関連コンテンツを再生するときの動作態様の一例を示している。
【００２７】
図２では、ＡＡＣＳにしたがい暗号化されたＥＶＯＢ（Enhanced  Video  Object  Block）１，２，３が光ディスクＤに記録されていることを想定している。
【００２８】
ＨＤ  ＤＶＤプレーヤ１では、鍵データを用いてＥＶＯＢ１，２，３を復号することによってコンテンツを再生する。ところが、各ＥＶＯＢの復号に必要な鍵データは、光ディスクＤにはＥＶＯＢ１、ＥＶＯＢ３の復号に用いる鍵データしか存在していない。ＥＶＯＢ２の復号に用いる鍵データはサーバ２０１からダウンロードを行い取得するものであり、ＥＶＯＢ２はサーバ２０１から取得した鍵データを用いて再生できるものとしている。
【００２９】
そして、アプリケーション制御部６は、ＥＶＯＢ１の再生が終了したタイミングｄ１で、ＥＶＯＢ２を用いてコンテンツを再生するか否かをユーザに選択させるＧＵＩ（Graphical  User  Interface）を表示装置２１０に表示させる。ユーザがＥＶＯＢ２の再生を選択すると、ＨＤ  ＤＶＤプレーヤ１はＥＶＯＢ２の復号に用いる鍵データをサーバ２０１からダウンロードを行い取得する。ＨＤ  ＤＶＤプレーヤ１は、その取得した鍵データを用いてＥＶＯＢ２を再生する。また、ユーザがＥＶＯＢ２の再生を選択しなかったときはタイミングｄ２からＥＶＯＢ３の再生を開始する。
【００３０】
以上のような動作態様は、光ディスクＤは無償で配布しておき、ＥＶＯＢ２だけを有償で提供したい、といった場合への適用が期待できる。この場合、ＥＶＯＢ２の復号に用いる鍵データはサーバ２０１からネットワーク２００を経由してＨＤ  ＤＶＤプレーヤ１に入ることになる。
【００３１】
ところが、あるユーザがＥＶＯＢ２の復号に用いる鍵データをネットワーク２００から取得して、ＨＤ  ＤＶＤプレーヤ１とは別のプレーヤを用いてＥＶＯＢ２を再生しようとすることが想定される。また、所定の金銭を支払うなどして正規に取得した鍵データを他のプレーヤに複製し、そのプレーヤでＥＶＯＢ２を再生しようとすることも想定される。
【００３２】
このような事態に備え、ＥＶＯＢ２を再生できる装置を制限するため、ＡＡＣＳでは、サーバ２０１からダウンロードを行い取得する鍵データを用いてコンテンツを再生する場合の、再生できる装置に制限を加えられる仕組みが提供されている。その仕組みはＨＤ  ＤＶＤプレーヤ１にも適用されており、以下図３を参照してその仕組みの内容を説明する。
【００３３】
まず、ＥＶＯＢ１の再生が一時停止した（ｔ０）とき、ユーザがＥＶＯＢ２の再生を選択した場合、アプリケーション制御部６は不揮発性メモリ８にアクセスして（ｔ１）、ＶｏｌｕｍｅＩＤおよびＤＵＮを取得する（ｔ２、ｔ３）。ここで、ＶｏｌｕｍｅＩＤはコンテンツ毎に与えられているコンテンツ固有のデータであり、ＤＵＮはDevice  Unique  Nonceの略称で、ＨＤ  ＤＶＤプレーヤ１やＨＤ  ＤＶＤプレーヤのそれぞれに割り当てられる再生装置固有のデータである。
【００３４】
そして、アプリケーション制御部６は、データアクセス部２に指示して、取得したＶｏｌｕｍｅＩＤとＤＵＮをネットワークＩ／Ｆ７によって、サーバ２０１宛てに送信させてアップロードを行う（ｔ４）。
【００３５】
一方、サーバ２０１は、ＨＤ  ＤＶＤプレーヤ１から受信したＶｏｌｕｍｅＩＤとＤＵＮを用いて、ＨＤ  ＤＶＤプレーヤ１宛てに送信する鍵ファイルとしてのＴＫＦとＭＫＢを作成する（ｔ６）。ＴＫＦはTitle  Key  Fileの略称であり、ＥＶＯＢ２の復号に用いる鍵データを暗号化したデータである。また、ＭＫＢとはMedia  Key  Blockの略称であり、ＨＤ  ＤＶＤプレーヤ１がＴＫＦを復号するためのデータである。
【００３６】
続いて、アプリケーション制御部６は、データアクセス部２に指示して、ネットワークＩ／Ｆ７にサーバ２０１へのダウンロード要求ｔ７、ｔ８を行わせ、サーバ２０１からそれぞれＴＫＦとＭＫＢを取得する（ｔ９、ｔ１０）。また、アプリケーション制御部６は、データアクセス部２に指示して、ダウンロードしたＴＫＦとＭＫＢを不揮発性メモリ８に記憶（保存させる）。
【００３７】
そして、アプリケーション制御部６は、不揮発性メモリ８に記憶させたＴＫＦとＭＫＢをコピー制御部９に出力する（ｔ１１）。すると、コピー制御部９は内部に保持しているＤＵＮを用いてサーバ２０１から取得したＴＫＦが正当なデータであることを後述するようにして検証し（鍵検証という）、続いて、検証したＴＫＦをＭＫＢを用いて復号する（ｔ１２）。ＴＫＦを復号することによって、ＥＶＯＢ２を再生するための鍵データが得られる。鍵データが得られたら、一時停止を解除してＥＶＯＢ２の再生を開始する（ｔ１３）。
【００３８】
コピー制御部９はＥＶＯＢ２の復号に用いる鍵データの計算にＶｏｌｕｍｅＩＤを使用する。コピー制御部９は、図４に示すように、解読した鍵データと、取得したＤＵＮに対してＭＡＣ(Media  Access  Control)の計算を実施してＤＵＮ＿ＭＡＣを求め、その値がＴＫＦに記載しているＭＡＣアドレスの値と一致しているかの比較（compare）を行って、上記の鍵検証を行う。
【００３９】
ところで、前述したとおり、不揮発性メモリ８には、関連コンテンツや、ブックマークデータ、サーバ２０１から取得した画像ファイルなどが保存されているが、これらのデータはＭＡＣアドレスを付加して保護する必要がある。
【００４０】
そして、ユーザは前述したアディショナルエリア８３を用いることにより、不揮発性メモリ８の保存データをＨＤ  ＤＶＤプレーヤ１００の不揮発性メモリ１０７に、複製することも可能である。
【００４１】
一方、ＨＤ  ＤＶＤプレーヤ１は、不揮発性メモリ８の保存データの複製や削除といった取り扱いを管理するための管理手段を有している。この管理手段はコピー制御部９により実現されるもので、ユーザは管理手段を作動させてコンテンツ毎に保存されているブックマークデータや画像ファイルなどを複製したり、削除したりすることができる。
【００４２】
しかしながら、複製や削除といった機能は、保存データすべてを一括してのみ実行することができる。すなわち、複製や削除はファイルごとには行うことができない。そもそも、管理手段は不揮発性メモリ８にデータを保存させ続けていくと、やがて不揮発性メモリ８が満杯になって、新たなデータを保存できなくなるときの対策として導入されたものであり、その関係で保存データすべてを一括してのみ実行できるようになっている。
【００４３】
ここで、図６は不揮発性メモリ８の保存データをアディショナルエリア８３を用いてＨＤ  ＤＶＤプレーヤ１００に複製したときに起こる不都合の内容を説明するための図である。不揮発性メモリ８には、保存データ９１，９２が保存されており、これらはＨＤ  ＤＶＤプレーヤ１固有の“ＤＵＮ１”を用いた鍵データで暗号化され、ＨＤ  ＤＶＤプレーヤ１にバインドされている。また、ＨＤ  ＤＶＤプレーヤ１００の不揮発性メモリ１０７には、保存データ９３が保存されており、これはＨＤ  ＤＶＤプレーヤ１００固有の“ＤＵＮ２”を用いた鍵データで暗号化され、ＨＤ  ＤＶＤプレーヤ１００にバインドされている。
【００４４】
不揮発性メモリ８の保存データはＭＡＣアドレスを付加して保護されているが、中には、保存データ９１，９２，９３のように再生装置にバインドされていることもある。そのため、図６に示したように、保存データ９１，９２をＨＤ  ＤＶＤプレーヤ１００の不揮発性メモリ１０７に複製しても、保存データ９１，９２を用いてＨＤ  ＤＶＤプレーヤ１００でコンテンツを再生することはできない。
【００４５】
それだけでなく、複製した保存データを消去しようとする場合、一括して行わねばならない。そのため、複製前、不揮発性メモリ１０７にすでに保存されているデータを含めてすべてを一括して消去しないといけない。これでは、保存を必要とするファイルや削除を要さないファイル（例えば保存データ９３）も保存データ９１，９２と一緒に消去せざるを得ず、ユーザにとっては著しく不都合なことである。
【００４６】
さらに、管理手段は、複製しようとするデータに関連するコンテンツを収録している光ディスクＤがデータアクセス部２にセットされていければならない。
【００４７】
これらの課題を解決するため、ＨＤ  ＤＶＤプレーヤ１では、コピー制御部９が複製制御情報作成手段としての動作を行い、コピー制御データ９１を作成してコピー制御ファイル９０として不揮発性メモリ８に記憶（保存）させている。
【００４８】
コピー制御ファイル９０は複数のコピー制御データ９１を有している。コピー制御データ９１は、図７に示すように、不揮発性メモリ８に格納されているコンテンツごとに作成され、ファイル名記憶部９１ａと、各ファイルについて再生装置にバインドされている鍵データが作成されているかどうかのバインド情報を記憶したバインド情報部９１ｂとを有している。図７では、不揮発性メモリ８に格納されている“Content33”に対応したコピー制御データ９１の詳細が示されている。このコピー制御データ９１は、“Content33”に基づき作成されたブックマークデータなど、４種類のバインドファイル９２ａ，９２ｂ，９２ｃ，９２ｄを有している。
【００４９】
そして、ＨＤ  ＤＶＤプレーヤ１は不揮発性メモリ８の保存データについて、複製や削除といった操作が行われる際、コピー制御データ９１を参照して、以下のような動作を行っている。
【００５０】
図８、９、１０は、コピー制御データ９１に関して不揮発性メモリ８にファイルが追加された場合、不揮発性メモリ８のファイルを複製する場合、ファイルを削除する場合それぞれの動作手順を示すフローチャートである。
【００５１】
図８は、コンテンツ再生中に不揮発性メモリ８にファイルを保存する場合の動作手順を示している。この場合、保存しようとするファイルがＡＡＣＳ化されているかどうかをコピー制御部９が判定し（Ｓ１）、その場合はＳ３、そうでなければＳ２に動作を進める。Ｓ２では、保存しようとするファイルのＡＡＣＳ化をコピー制御部９が実行する。
【００５２】
Ｓ３では、新たに保存（追加）したファイルのバインドファイルをコピー制御部９が作成してコピー制御データ９１を更新する。この場合、バインド情報は、保存したファイルに用いたＴＫＦから算出することが可能である。続くＳ４では、更新したコピー制御データ９１を不揮発性メモリ８に記憶させて動作を終了する。
【００５３】
次に、図９はユーザが管理手段を作動させて不揮発性メモリ８の保存データをＨＤ  ＤＶＤプレーヤ１００の不揮発性メモリ１０７に複製しようとする場合の動作手順を示している。この場合、複製しようとする保存データに対応したコピー制御データ９１をコピー制御部９が参照してＳ１１に動作を進める。
【００５４】
Ｓ１１では、コピー制御部９が判定手段としての動作を行い、保存データのＨＤ  ＤＶＤプレーヤ１００への複製可否を判定する。この場合、コピー制御部９はコピー制御ファイル９０に含まれるすべてのコピー制御データ９１を対象として、すべてのバインドファイルにつき、バインド情報部９１ｂが“ＯＦＦ”になっているときは、少なくとも複製しようとするコンテンツの保存データは再生装置にバインドされてなく複製可能であるとしてＳ１２に動作を進め、そうでなければＳ１３に動作を進める。コピー制御部９はＳ１２を実行せずにＳ１３に動作を進めることによって複製禁止手段としての動作を行っている。Ｓ１２では、不揮発性メモリ８の保存データをアディショナルエリア８３に複製して動作を終了する。
【００５５】
コピー制御部９は、バインド情報部９１ｂの中に“ＯＮ”になっているバインドファイルが１つでもあるときはＳ１３に動作を進め、禁止通知手段としての動作を行って複製禁止（コピー不可）を示すアラート（警告）を表示装置２１０に表示させて、保存データの複製が禁止されていることをユーザに通知し、Ｓ１２を実行せずに動作を終了する。
【００５６】
例えば、ユーザが“Content33”の保存データを複製しようとしていた場合には、４種類のバインドファイル９２ａ，９２ｂ，９２ｃ，９２ｄのうち、バインドファイル９２ａ，９２ｄのバインド情報部９１ｂが“ＯＮ”になっているので、アラートが表示されることになる。
【００５７】
さらに、図１０は、コンテンツ再生中に不揮発性メモリ８からファイルを削除する場合の動作手順を示している。この場合、コピー制御部９は不揮発性メモリ８に保存っされているファイルを削除し（Ｓ２０）、続くＳ２１で、削除したファイルのバインドファイルを削除してコピー制御データ９１を更新し、動作を終了する。
【００５８】
以上のように、ＨＤ  ＤＶＤプレーヤ１は、関連コンテンツを不揮発性メモリ８に記憶させるときに、コピー制御データ９１を作成し、そのコピー制御データ９１を不揮発性メモリ８に記憶させている。そのため、コピー制御データ９１を参照することによって、光ディスクＤがデータアクセス部２にセットされていなくても関連コンテンツを用いてＨＤ  ＤＶＤプレーヤ１００でコンテンツを再生できるか否かを判定できるようになっている。
【００５９】
また、このような判定を行い、判定結果が複製不可であったときは、関連コンテンツの複製を禁止したり、複製禁止であることを示すアラートを出力しているので、ユーザが誤って複製してしまうことを防止でき、ユーザの利便性が高められている。
【００６０】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００６１】
【図１】本発明の実施の形態に係るＨＤ  ＤＶＤプレーヤと、他のＨＤ  ＤＶＤプレーヤおよび携帯型不揮発性メモリとを示すブロック図である。
【図２】ＨＤ  ＤＶＤプレーヤがサーバからデータを取得し、そのデータを用いて収録コンテンツおよび関連コンテンツを再生するときの動作態様の一例を示す図である。
【図３】サーバから取得する鍵データを用いてＨＤ  ＤＶＤプレーヤでコンテンツを再生する場合について制限を加えられる仕組みを説明する図である。
【図４】鍵検証の動作内容を示す図である。
【図５】不揮発性メモリの構成を示す図である。
【図６】不揮発性メモリの保存データをアディショナルエリアを用いてＨＤ  ＤＶＤプレーヤに複製したときに起こる不都合の内容の説明図である。
【図７】コピー制御ファイルの一例を示す図である。
【図８】コンテンツ再生中に不揮発性メモリにファイルを保存する場合の動作手順を示すフローチャートである。
【図９】不揮発性メモリのファイルを複製する場合の動作手順を示すフローチャートである。
【図１０】不揮発性メモリのファイルを削除する場合の動作手順を示すフローチャートである。
【符号の説明】
【００６２】
１，１００…ＨＤ  ＤＶＤプレーヤ、２…データアクセス部、６…アプリケーション制御部、７…ネットワークＩ／Ｆ、８，１０７…不揮発性メモリ、９…コピー制御部、８１…プロバイダディレィトリ、９１ｂ…バインド情報部，９２ａ，９２ｂ，９２ｃ，９２ｄ…バインドファイル、Ｄ…光ディスク。
【図１】
2009158003.tif 000003
【図２】
2009158003.tif 000004
【図３】
2009158003.tif 000005
【図４】
2009158003.tif 000006
【図５】
2009158003.tif 000007
【図６】
2009158003.tif 000008
【図７】
2009158003.tif 000009
【図８】
2009158003.tif 000010
【図９】
2009158003.tif 000011
【図１０】
2009158003.tif 000012